(57)【要約】本発明の一実施形態による光ファイバ心線は、コア及び該コアを覆うクラッドを有するガラスファイバと、ガラスファイバを覆う被覆樹脂層とを備え、ガラスファイバと被覆樹脂層との間の８５℃における密着力をｘとし、被覆樹脂層の８５℃、周波数１１Ｈｚにおける貯蔵弾性率をｙとしたときに、ｘが０．２〜０．６ｋｇｆであり、ｙが６００〜６０００ＭＰａであり、かつ、ｙ＞２２２．１ｅ４．７７９９ｘで表される関係を満たす。
2017122589.tif 000002
【特許請求の範囲】
【請求項１】
コア及び該コアを覆うクラッドを有するガラスファイバと、前記ガラスファイバを覆う被覆樹脂層と、を備える光ファイバ心線であって、  前記ガラスファイバと前記被覆樹脂層との間の８５℃における密着力をｘとし、前記被覆樹脂層の８５℃、周波数１１Ｈｚにおける貯蔵弾性率をｙとしたときに、前記ｘが０．２〜０．６ｋｇｆであり、前記ｙが６００〜６０００ＭＰａであり、かつ、下記式（Ｉ）で表される関係を満たす、光ファイバ心線。    ｙ＞２２２．１ｅ４．７７９９ｘ    （Ｉ）
【請求項２】
外径が１９０〜２６０μｍである、請求項１に記載の光ファイバ心線。
【請求項３】
外径が１９０〜２１０μｍである、請求項１に記載の光ファイバ心線。
【請求項４】
外径が２６０μｍ以下であり、  前記被覆樹脂層が、複数の層から構成され、前記被覆樹脂層の最外層が着色層である、請求項１に記載の光ファイバ心線。
【請求項５】
外径が２１０μｍ以下であり、  前記被覆樹脂層が、複数の層から構成され、前記被覆樹脂層の最外層が着色層である、請求項１に記載の光ファイバ心線。
【請求項６】
前記被覆樹脂層が、プライマリ樹脂層とセカンダリ樹脂層とを有し、  前記プライマリ樹脂層が、多官能モノマーを含有する紫外線硬化型樹脂組成物の硬化物を含む、請求項１〜５のいずれか一項に記載の光ファイバ心線。
【請求項７】
前記紫外線硬化型樹脂組成物がシランカップリング剤を更に含有する、請求項６に記載の光ファイバ心線。
【請求項８】
請求項１〜７のいずれか一項に記載の光ファイバ心線を複数並列してテープ材で覆われている、光ファイバテープ心線。
【請求項９】
前記テープ材のガラス転移温度が６０℃以上である、請求項８に記載の光ファイバテープ心線。
【発明の詳細な説明】
【技術分野】
【０００１】  本発明は、光ファイバ心線及び光ファイバテープ心線に関する。  本出願は、２０１６年１月１２日出願の日本出願第２０1６−００３７１６号に基づく優先権を主張し、前記日本出願に記載された全ての記載内容を援用するものである。
【背景技術】
【０００２】  一般に、光ファイバ心線は、ガラスファイバを保護するための被覆樹脂層を有している。また、光ファイバ心線は、光ファイバ心線を複数並列してテープ材で覆った光ファイバテープ心線の形態で使用されることがある。そして、光ファイバテープ心線を接続する場合、ガラスファイバからテープ材の一部を被覆樹脂層と共に一括して除去する必要がある。ガラスファイバからテープ材を一括除去するときに、ガラスファイバの外周に被覆樹脂層の一部が残ってしまうことがある。【０００３】  これに対して、特許文献１には、ガラスファイバを被覆する各コーティング材料のガラス転移温度の差を調整した光ファイバリボンを提供することが検討されている。
【先行技術文献】
【特許文献】
【０００４】
【特許文献１】特許第５２３７１０７号公報
【発明の概要】
【０００５】  本発明の一実施形態による光ファイバ心線は、コア及び該コアを覆うクラッドを有するガラスファイバと、ガラスファイバを覆う被覆樹脂層とを備え、ガラスファイバと被覆樹脂層との間の８５℃における密着力をｘとし、被覆樹脂層の１００℃、周波数１１Ｈｚにおける貯蔵弾性率をｙとしたときに、ｘが０．２〜０．６ｋｇｆであり、ｙが６００〜６０００ＭＰａであり、かつ、下記式（Ｉ）で表される関係を満たす。    ｙ＞２２２．１ｅ４．７７９９ｘ  （Ｉ）
【図面の簡単な説明】
【０００６】
【図１】本実施形態に係る光ファイバ心線の一例を示す断面図である。
【図２】本実施形態に係る光ファイバテープ心線の一例を示す断面図である。
【図３】ガラスファイバと被覆樹脂層との間の密着力と、被覆樹脂層の貯蔵弾性率との関係をプロットしたグラフである。
【発明を実施するための形態】
【０００７】［本開示が解決しようとする課題］  光ファイバ心線の耐側圧特性を向上するために、ガラスファイバと接する側にはヤング率の低い被覆樹脂層を形成することが求められている。しかしながら、被覆樹脂層のヤング率が低くなるほど破断強度も低下するため、テープ一括除去時にガラスファイバ側に被覆カスが残りやすくなる。
【０００８】  そこで、本開示は、テープ一括除去性に優れる光ファイバ心線及び光ファイバテープ心線を提供することを目的とする。
【０００９】［本開示の効果］  本開示によれば、テープ一括除去性に優れる光ファイバ心線及び光ファイバテープ心線を提供することができる。
【００１０】［本発明の実施形態の説明］  最初に、本発明の実施形態の内容を列記して説明する。本発明の一実施形態による光ファイバ心線は、ガラスファイバと、ガラスファイバを覆う被覆樹脂層と、を備え、ガラスファイバと被覆樹脂層との間の１００℃における密着力をｘとし、被覆樹脂層の８５℃、周波数１１Ｈｚにおける貯蔵弾性率をｙとしたときに、ｘが０．２〜０．６ｋｇｆであり、ｙが６００〜６０００ＭＰａであり、かつ、下記式（Ｉ）で表される関係を満たす。    ｙ＞２２２．１ｅ４．７７９９ｘ    （Ｉ）
【００１１】  本発明者らは、光ファイバ心線から被覆樹脂層を引き剥がす際の力（引抜力）と、被覆樹脂層の貯蔵弾性率とが相関関係を有することを見出し、本発明に至った。本実施形態の光ファイバ心線は、ガラスファイバと被覆樹脂層との間の密着力と、被覆樹脂層の貯蔵弾性率とが、特定の関係を満足することで、光ファイバテープ心線の形態で使用される際に、ガラスファイバからテープ材の一部を被覆樹脂層と共に一括して除去するテープ一括除去性に優れるものとなる。
【００１２】  光ケーブルの多芯化の観点から、上記光ファイバ心線の外径は、１９０〜２６０μｍであってもよく、１９０〜２１０μｍであってもよい。光ファイバ心線の外径は、通常約２５０μｍであるところ、それより細くてもよい。
【００１３】  被覆樹脂層が複数の層から構成され、被覆樹脂層の最外層が着色層である場合、着色された光ファイバ心線の外径は２６０μｍ以下であってもよい。光ケーブルの多芯化の観点から、着色された光ファイバ心線の外径は２１０μｍ以下であってもよい。光ファイバ心線に機械強度を持たせるために被覆樹脂層には一定の厚さが必要であるので、着色された光ファイバ心線の外径は１８５μｍ以上が望ましい。
【００１４】  本実施形態の光ファイバ心線において、上記被覆樹脂層は、プライマリ樹脂層とセカンダリ樹脂層とを有し、プライマリ樹脂層は、多官能モノマーを含有する紫外線硬化型樹脂組成物の硬化物を含んでいてもよい。これにより、プライマリ樹脂層の破断強度とヤング率とのバランスがよくなり、ガラスファイバから被覆樹脂層を除去する際に被覆カスが残り難くなる。
【００１５】  上記紫外線硬化型樹脂組成物は、シランカップリング剤を更に含有してもよい。これにより、ガラスファイバとプライマリ樹脂層との間の密着力を調整し易くなる。
【００１６】  本発明の一実施形態による光ファイバテープ心線は、上記光ファイバ心線を複数並列してテープ材で覆われている。本実施形態の光ファイバ心線を用いていることから、接続する際のテープ一括除去性に優れるものとなる。
【００１７】  上記テープ材のガラス転移温度は、６０℃以上であってもよい。これにより、光ファイバテープ心線は、テープ一括除去性により一層優れるものとなる。
【００１８】［本発明の実施形態の詳細］  本発明の実施形態に係る光ファイバ及びその製造方法の具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００１９】（ファイバ心線）  図１は、本実施形態に係る光ファイバ心線１の一例を示す断面図である。図１に示されるように、本実施形態の光ファイバ心線１は、光伝送体であるガラスファイバ１０及び被覆樹脂層２０を備えている。
【００２０】  ガラスファイバ１０は、コア１２及びクラッド１４を有しており、ガラス製の部材、例えばＳｉＯ２ガラスからなる。ガラスファイバ１０は、光ファイバ心線１に導入された光を伝送する。コア１２は、例えばガラスファイバ１０の中心軸線を含む領域に設けられている。コア１２は、純ＳｉＯ２ガラス、又は、それにＧｅＯ２、フッ素元素等を含んでいてもよい。クラッド１４は、コア１２を囲む領域に設けられている。クラッド１４は、コア１２の屈折率より低い屈折率を有する。クラッド１４は、純ＳｉＯ２ガラスからなってもよいし、フッ素元素が添加されたＳｉＯ２ガラスからなってもよい。
【００２１】  ガラスファイバ１０の径は、通常、１２５μｍ程度である。被覆樹脂層２０の総厚は、３２．５〜６７．５μｍであることが好ましく、３２．５〜４２．５μｍであってもよい。光ファイバ心線１の外径は、１９０〜２６０μｍであることが好ましく、１９０〜２１０μｍであってもよい。
【００２２】  被覆樹脂層２０は、複数の層から構成されており、少なくともガラスファイバと接する第１の層であるプライマリ樹脂層２２と、該第１の層と接する第２の層であるセカンダリ樹脂層２４とを有している。例えば、被覆樹脂層２０が２層からなる場合、図１に示すように、被覆樹脂層２０は、第１の層であるプライマリ樹脂層２２と、第２の層であるセカンダリ樹脂層２４とから構成される。
【００２３】  プライマリ樹脂層２２のヤング率は、２３℃で１．０ＭＰａ以下であることが好ましく、０．８ＭＰａ以下であることがより好ましく、０．７ＭＰａ以下であることが更に好ましい。プライマリ樹脂層２２のヤング率の下限値は、特に限定されないが０．１ＭＰａ程度である。
【００２４】  ガラスファイバ１０と被覆樹脂層２０との間の１００℃における密着力（ｘ）は、０．２〜０．６ｋｇｆであり、０．３〜０．５ｋｇｆであることが好ましい。被覆樹脂層の８５℃、周波数１１Ｈｚにおける貯蔵弾性率（ｙ）は、６００〜６０００ＭＰａであり、７００〜５６００ＭＰａであることが好ましい。
【００２５】  本実施形態の光ファイバ心線において、上記ｘとｙとは、下記式（Ｉ）で表される関係を満たす。    ｙ＞２２２．１ｅ４．７７９９ｘ    （Ｉ）
【００２６】  ガラスファイバ１０に被覆樹脂層２０を形成する方法としては、従来、光ファイバ心線の製造に用いられている方法を適用することができる。
【００２７】  例えば、プライマリ樹脂層形成用の樹脂組成物をクラッド１４の周囲に塗布し、紫外線の照射によって硬化させてプライマリ樹脂層２２を形成した後、セカンダリ樹脂層形成用の樹脂組成物をプライマリ樹脂層２２の周囲に塗布し、紫外線の照射によって硬化させてセカンダリ樹脂層２４を形成する方式（ｗｅｔ−ｏｎ−ｄｒｙ方式）を用いてもよい。また、プライマリ樹脂層形成用の樹脂組成物をクラッド１４の周囲に塗布した後、その周りにセカンダリ樹脂層形成用の樹脂組成物を塗布し、紫外線の照射によって同時に硬化させてプライマリ樹脂層２２及びセカンダリ樹脂層２４を形成する方式（ｗｅｔ−ｏｎ−ｗｅｔ方式）を用いてもよい。
【００２８】  なお、被覆樹脂層２０を構成するセカンダリ樹脂層２４の外周面には、光ファイバ心線を識別するためにインク層となる着色層を形成してもよい。また、セカンダリ樹脂層２４を着色し、着色層（以下、「着色セカンダリ樹脂層」という。）としてもよい。すなわち、被覆樹脂層２０の最外層が着色層（インク層又は着色セカンダリ樹脂層を有する光ファイバ心線）であると、着色された光ファイバ心線となる。
【００２９】  光ケーブルの多芯化の観点から、着色された光ファイバ心線の外径は２１０μｍ以下であってもよい。また、光ファイバ心線に機械強度を持たせるために被覆樹脂層２０には一定の厚さが必要であるので、着色された光ファイバ心線の外径は１８５μｍ以上が望ましい。また、光ファイバ心線がインク層を有する場合、インク層を除いた光ファイバ心線の外径は、２００μｍ以下が望ましく、１８０μｍ以上が望ましい。
【００３０】  着色層は、光ファイバ心線の識別性を向上する観点から、顔料を含有することが好ましい。顔料としては、例えば、カーボンブラック、酸化チタン、亜鉛華等の着色顔料、γ−Ｆｅ２Ｏ３、γ−Ｆｅ２Ｏ３とγ−Ｆｅ３Ｏ４の混晶、ＣｒＯ２、コバルトフェライト、コバルト被着酸化鉄、バリウムフェライト、Ｆｅ−Ｃｏ、Ｆｅ−Ｃｏ−Ｎｉ等の磁性粉、ＭＩＯ、ジンククロメート、ストロンチウムクロメート、トリポリリン酸アルミニウム、亜鉛、アルミナ、ガラス、マイカ等の無機顔料；アゾ系顔料、フタロシアニン系顔料、染付レーキ顔料等の有機顔料が挙げられる。顔料には、各種表面改質や複合顔料化等の処理が施されていてもよい。
【００３１】  被覆樹脂層２０は、例えば、オリゴマー、モノマー及び光重合開始剤を含む紫外線硬化性樹脂組成物を硬化させて形成することができる。
【００３２】  オリゴマーとしては、例えば、ウレタン（メタ）アクリレートが挙げられる。オリゴマーは、２種以上を混合して用いてもよい。ここで、（メタ）アクリレートとは、アクリレート又はそれに対応するメタクリレートを意味する。（メタ）アクリル酸についても同様である。
【００３３】  ウレタン（メタ）アクリレートとしては、例えば、ポリオール化合物、ポリイソシアネート化合物及び水酸基含有アクリレート化合物を反応させて得られるものが挙げられる。ポリオール化合物としては、例えば、ポリテトラメチレングリコール、ポリプロピレングリコール、ビスフェノールＡ・エチレンオキサイド付加ジオール等が挙げられる。ポリイソシアネート化合物としては、２，４−トリレンジイソシアネート、２，６−トリレンジイソシアネート、イソホロンジイソシアネート等が挙げられる。水酸基含有アクリレート化合物としては、例えば、２−ヒドロキシメチル（メタ）アクリレート、２−ヒドロキシエチル（メタ）アクリレート、２−ヒドロキシブチル（メタ）アクリレート、１，６−ヘキサンジオールモノ（メタ）アクリレート、ペンタエリスリトールトリ（メタ）アクリレート、２−ヒドロキシプロピル（メタ）アクリレート、トリプロピレングリコールジ（メタ）アクリレート等が挙げられる。
【００３４】  モノマーとしては、重合性基を１つ有する単官能モノマー、重合性基を２以上有する多官能モノマーを用いることができる。モノマーは、２種以上を混合して用いてもよい。
【００３５】  単官能モノマーとしては、例えば、Ｎ−ビニルピロリドン、Ｎ−ビニルカプロラクタム、（メタ）アクリロイルモルホリン等の環状構造を有するＮ−ビニルモノマー；イソボルニル（メタ）アクリレート、トリシクロデカニル（メタ）アクリレート、ベンジル（メタ）アクリレート、ジシクロペンタニル（メタ）アクリレート、２−ヒドロキシエチル（メタ）アクリレート、ノニルフェニル（メタ）アクリレート、フェノキシエチル（メタ）アクリレート、ポリプロピレングリコールモノ（メタ）アクリレート等の（メタ）アクリレート化合物が挙げられる。中でも、環状構造を有するＮ−ビニルモノマーが、硬化速度を向上する点で好ましい。
【００３６】  多官能モノマーとしては、例えば、ポリエチレングリコールジ（メタ）アクリレート、トリシクロデカンジイルジメチレンジ（メタ）アクリレート、トリプロピレングリコールジ（メタ）アクリレート、ヘキサンジオールジ（メタ）アクリレート、トリメチロールプロパントリ（メタ）アクリレート、ビスフェノール化合物のエチレンオキサイド又はプロピレンオキサイド付加体ジオールのジ（メタ）アクリレート、ビスフェノール化合物のグリシジルエーテルにジ（メタ）アクリレートを付加させたエポキシ（メタ）アクリレート等が挙げられる。
【００３７】  ビスフェノール化合物としては、例えば、ビスフェノールＡ、ビスフェノールＡＰ、ビスフェノールＢ、ビスフェノールＢＰ、ビスフェノールＣ、ビスフェノールＥ等が挙げられ、中でも、ビスフェノールＡが好ましい。すなわち、多官能モノマーとして、ビスフェノール骨格を有する多官能モノマーを用いることができ、中でも、ビスフェノールＡ骨格を有する多官能モノマーを用いることが好ましい。
【００３８】  多官能のモノマーをプライマリ樹脂層形成用の樹脂組成物に添加することで、プライマリ樹脂層の破断強度とヤング率とのバランスがよくなり、ガラスファイバから被覆樹脂層を除去する際に被覆カスが残り難くなる。
【００３９】  光重合開始剤としては、公知のラジカル光重合開始剤の中から適宜選択して使用することができ、例えば、アシルホスフィンオキサイド系開始剤及びアセトフェノン系開始剤が挙げられる。光重合開始剤は、２種以上を混合して用いてもよい。
【００４０】  アシルホスフィンオキサイド系開始剤としては、例えば、２，４，６−トリメチルベンゾイルジフェニルホスフィンオキサイド（ＢＡＳＦ社製、商品名「ルシリンＴＰＯ」）、２，４，４−トリメチルペンチルホスフィンオキサイド、２，４，４−トリメチルベンゾイルジフェニルホスフィノキサイド等が挙げられる。
【００４１】  アセトフェノン系開始剤としては、例えば、１−ヒドロキシシクロヘキサン−１−イルフェニルケトン（ＢＡＳＦ社製、商品名「イルガキュア１８４」）、２−ヒドロキシ−２−メチル−１−フェニル−プロパン−１−オン（ＢＡＳＦ社製、商品名「ダロキュア１１７３」）、２，２−ジメトキシ−１，２−ジフェニルエタン−１−オン（ＢＡＳＦ社製、商品名「イルガキュア６５１」）、２−メチル−１−（４−メチルチオフェニル）−２−モルホリノプロパン−１−オン（ＢＡＳＦ社製、商品名「イルガキュア９０７」）、２−ベンジル−２−ジメチルアミノ−１−（４−モルホリノフェニル）−ブタノン−１（ＢＡＳＦ社製、商品名「イルガキュア３６９」）、１−ヒドロキシシクロヘキシルフェニルケトン、２，２−ジメトキシ−２−フェニルアセトフェノン、１−（４−イソプロピルフェニル）−２−ヒドロキシ−２−メチルプロパン−１−オン等が挙げられる。
【００４２】  紫外線硬化性樹脂組成物には、シランカップリング剤を配合してもよい。特に、プライマリ樹脂層を形成する樹脂組成物がシランカップリング剤を含有する場合、ガラスファイバとプライマリ樹脂層との間の密着力を調整し易くなる。シランカップリング剤としては、例えば、下記一般式（１）又は（２）で表されるシランカップリング剤が挙げられる。シランカップリング剤は、２種以上を混合して用いてもよい。
【００４３】
【化１】
2017122589.tif 000003
【００４４】  式（１）及び（２）中、Ｒ１は紫外線照射により反応性を有する基を示し、Ｒ２〜Ｒ８は、それぞれ独立に炭素数１〜４のアルキル基を示す。
【００４５】  一般式（１）のＲ１における、紫外線照射によりにより反応性を有する基としては、例えば、メルカプト基、ビニル基、アリル基、（メタ）アクリロイル基等の官能基を有する基が挙げられる。
【００４６】  一般式（１）及び（２）のＲ２〜Ｒ８としては、それぞれ同一でも異なっていてもよく、炭素数１以上のアルキル基であれば、特に限定されないが、炭素数が４以下である事が好ましい。Ｒ２〜Ｒ８は、具体的には、メチル基、エチル基、プロピル基、ブチル基等が挙げられる。
【００４７】  一般式（１）で表されるシランカップリング剤としては、例えば、３−メルカプトプロピルトリメトキシシラン、３−メルカプトプロピルトリエトキシシラン、３−メルカプトプロピルトリプロポキシシラン、アリルトリメトキシシラン、アリルトリエトキシシラン、アリルトリプロポキシシラン、ビニルトリメトキシシラン、ビニルトリエトキシシラン、ビニルトリプロポキシシラン、３−（メタ）アクリロキシプロピルトリメトキシシラン、３−（メタ）アクリロキシプロピルトリエトキシシラン等が挙げられる。一般式（２）で表されるシランカップリング剤としては、例えば、テトラメトキシシラン、テトラエトキシシラン、テトラプロポキシシラン等が挙げられる。
【００４８】  シランカップリング剤の含有量は、プライマリ樹脂層形成用の樹脂組成物の総量を基準として、０．２〜２質量％であることが好ましい。
【００４９】（光ファイバテープ心線）  本実施形態の光ファイバ心線を用いて光ファイバテープ心線を作製することができる。図２は、本実施形態に係る光ファイバテープ心線１００の断面図である。同図に示される光ファイバテープ心線１００は、並列配置された複数本（ここでは４本）の光ファイバ心線１がテープ材４０により一体化されたものである。本実施形態の光ファイバテープ心線は、光ファイバテープ心線からテープ材を一括除去してガラスファイバを取り出すことができる。
【００５０】  テープ材４０は、例えば、エポキシアクリレート樹脂、ウレタンアクリレート樹脂等によって形成されている。テープ材の除去し易さの観点から、テープ材のガラス転移温度は、６０℃以上であることが好ましく、７０〜１０５℃であることが好ましい。
【実施例】
【００５１】  次に実施例を挙げて、本発明を詳細に説明するが、本発明はこれら実施例に限定されるものではない。【００５２】［プライマリ樹脂層形成用樹脂組成物の調製］  ポリプロピレングリコールジオールに、ジイソシアネート及びヒドロキシエチルアクリレートを反応させることにより得られるウレタンアクリレートと、ノニルフェニルアクリレートと、Ｎ−ビニルカプロラクタムと、トリプロピレングリコールジアクリレートと、２，４，６−トリメチルベンゾイルジフェニルホスフィンオキサイド（ＢＡＳＦ社製、商品名「ルシリンＴＰＯ」）と、シランカップリング剤であるメルカプトプロピルトリメトキシシランとを混合して、各成分の含有割合を変更したプライマリ樹脂層形成用樹脂組成物を各種調製した。【００５３】［セカンダリ樹脂層形成用樹脂組成物の調製］  ポリプロピレングリコールジオールに、ジイソシアネート及びヒドロキシエチルアクリレートを反応させることにより得られるウレタンアクリレートと、ビスフェノール系エポキシアクリレートと、アクリル酸イソボルニルと、Ｎ−ビニルカプロラクタムと、ＴＰＯとを混合して、各成分の含有割合を変更したセカンダリ樹脂層形成用樹脂組成物を各種調製した。【００５４】［着色層形成用樹脂組成物の調製］  ウレタンアクリレート系樹脂を７０質量部、有機顔料を６質量部、２官能アクリレートモノマーと多官能アクリレートモノマーとの混合物（配合比：４／６）を２０質量部、イルガキュア９０７を３質量部、フェノール系酸化防止剤を０．０３質量部、硫黄系酸化防止剤を０．０１質量部、アミン系重合禁止剤を０．０１質量部及びシリコーンオイルを０．１質量部混合して、着色層（インク層）形成用樹脂組成物を調製した。【００５５】［着色セカンダリ樹脂層形成用樹脂組成物の調製］  実施例１で用いたセカンダリ樹脂層形成用樹脂組成物１００質量部に対して、有機顔料を５質量部混合して、着色セカンダリ樹脂層形成用樹脂組成物を調製した。【００５６】［テープ材用樹脂組成物の調製］  ビスフェノールＡ・エチレンオキサイド付加ジオール１ｍｏｌ、トリレンジイソシアネート２ｍｏｌ及びヒドロキシエチルアクリレート２ｍｏｌを反応させて得られるウレタンアクリレートを１８質量部、ポリテトラメチレングリコール１ｍｏｌ、トリレンジイソシアネート２ｍｏｌ及びヒドロキシエチルアクリレート２ｍｏｌを反応させて得られるウレタンアクリレートを１０質量部、トリレンジイソシアネート１ｍｏｌ及びヒドロキシエチルアクリレート２ｍｏｌを反応させて得られるトリシクロデカンジアクリレートを１５質量部、Ｎ−ビニルピロリドンを１０質量部、イソボルニルアクリレートを１０質量部、ビスフェノールＡ・エチレンオキサイド付加ジオールジアクリレートを５質量部、２−メチル−１−［４−（メチルチオ）フェニル］−２−モルホリノ−プロパン−１−オン（ＢＡＳＦ社製、商品名「イルガキュア９０７」）を０．７質量部及びＴＰＯを１．３質量部混合して、テープ材用樹脂組成物を調製した。【００５７】［光ファイバ心線］（実施例１〜４，比較例１〜６）  コア及びクラッドから構成される直径１２５μｍのガラスファイバの外周に、プライマリ樹脂層を外径１９０μｍとなるように形成し、その外周にセカンダリ樹脂層を外径２５０μｍとなるように形成し、更にセカンダリ樹脂層の外周に着色層（インク層）を形成することで、外径２６０μｍの光ファイバ心線をそれぞれ作製した。【００５８】（実施例５）  コア及びクラッドから構成される直径１２５μｍのガラスファイバの外周に、実施例１で用いたプライマリ樹脂層を外径１６０μｍとなるように形成し、その外周に実施例１で用いたセカンダリ樹脂層を外径１９５μｍとなるように形成し、更にセカンダリ樹脂層の外周に着色層（インク層）を形成することで、外径２００μｍの光ファイバ心線を作製した。【００５９】（実施例６）  コア及びクラッドから構成される直径１２５μｍのガラスファイバの外周に、実施例１で用いたプライマリ樹脂層を外径１９０μｍとなるように形成し、その外周に着色セカンダリ樹脂層を外径２６０μｍとなるように形成することで、外径２６０μｍの光ファイバ心線を作製した。【００６０】（実施例７）  コア及びクラッドから構成される直径１２５μｍのガラスファイバの外周に、実施例１で用いたプライマリ樹脂層を外径１７０μｍとなるように形成し、その外周に着色セカンダリ樹脂層を外径２００μｍとなるように形成することで、外径２００μｍの光ファイバ心線を作製した。【００６１】［光ファイバテープ心線］  光ファイバ心線を４本並列してそれらの周囲をテープ材用樹脂組成物で被覆して一体化して光ファイバテープ心線を得た。【００６２】［評価］（貯蔵弾性率）  まず、光ファイバ心線をＭＥＫに浸漬させることで被覆樹脂層をガラスファイバから剥離した。次いで、剥離した被覆樹脂層を２５℃、５０％ＲＨの環境で１２時間以上保管した後に、レオメーター（ソリッドＳアナライザー  ＲＳＡ−ＩＩを用い、周波数１１Ｈｚ、温度８５℃における貯蔵弾性率を測定した。結果を表１に示す。【００６３】（密着力）  まず、光ファイバ心線の被覆樹脂層に、カミソリで刃先がガラスファイバ表面に届かない深さで切れ目を入れて、切れ目を挟んだ一方の被覆樹脂層を台紙に張り付けて台紙を固定し、８５℃の恒温槽に入れた。次いで、他方の光ファイバ心線を把持して、速度５ｍｍ／分で引張り、ガラスファイバが台紙に固定された被覆樹脂層から引き抜かれるときの引抜力（最大値）を測定し、これを密着力とした。結果を表１に示す。【００６４】  また、実施例及び比較例で作製した光ファイバ心線におけるガラスファイバと被覆樹脂層との間の密着力と、被覆樹脂層の貯蔵弾性率との関係をプロットしたグラフを図３に示す。【００６５】（テープ一括除去性）  住友電気工業株式会社製の商品名「ＪＲ−６」を用いて、光ファイバテープ心線からのテープ一括除去性を評価した。テープ一括除去は、８５℃の加熱部に光ファイバテープ心線を挟みこみ、５秒間保持した後に行った。被覆樹脂層の形態が保持され、ガラスファイバ上に被覆カスが残らない状況を除去性が「良好」とし、それ以外を「不良」とした。結果を表１及び表２に示す。【００６６】
【表１】
2017122589.tif 000004
【００６７】
【表２】
2017122589.tif 000005
【００６８】  図３並びに表１及び２より、式（Ｉ）で表される関係を満足する実施例１〜７の光ファイバ心線において、テープ一括除去性に優れることが確認できる。
【符号の説明】
【００６９】  １…光ファイバ心線、１０…ガラスファイバ、１２…コア、１４…クラッド、２０…被覆樹脂層、２２…プライマリ樹脂層、２４…セカンダリ樹脂層、４０…テープ材、１００…光ファイバテープ心線。
【図１】
2017122589.tif 000006
【図２】
2017122589.tif 000007
【図３】
2017122589.tif 000008
【国際調査報告】
2017122589.tif 000009
2017122589.tif 000010
2017122589.tif 000011
2017122589.tif 000012